(57)【要約】【課題】  患者や被介護者がナースコール子機によって用件を伝達する場合に、その用件が緊急を要する用件であるか、緊急を要さない用件であるかを容易に報知することができるようにする。【解決手段】  子機１による呼出しスイッチ２の操作時間が所定時間以上となった場合に、親機１０は、呼出し音の音量を増大するようにしているので、所定時間以上の呼出し操作を子機１により行うことで、患者や被介護者は、緊急を要する用件であるか、緊急を要さない用件であるかを区別して容易に報知することができ、看護師や介護者は、親機１０が発する呼出し音の音量により、患者や被介護者の用件が緊急を要するものであるか、緊急を要さないものであるかを容易に判断することができる。【選択図】        図１
2007061227.tif 000002
【特許請求の範囲】
【請求項１】
発呼者による操作により呼出し信号を出力する呼出しスイッチと、前記呼出しスイッチによる呼出し操作の時間を計測する計時部と、前記計時部により計測された時間が所定時間以上であるか否かを判定してその判定結果を出力する子機用制御部と、前記呼出し信号及び前記判定結果を入力して送信する送信部とを備えた子機と、
前記子機から送信された前記呼出し信号及び前記判定結果を受信する受信部と、前記発呼者からの呼出しを示す呼出し音を出力する放音部と、前記放音部から出力される呼出し音の音量を調整する音量調整部と、前記受信部が前記呼出し信号を受信した場合に、前記放音部から前記呼出し音を出力させると共に、前記受信部が受信した前記判定結果が前記計時部による計測時間が所定時間以上である場合に、前記放音部から出力される呼出し音の音量を前記音量調整部により増大させる親機用制御部とを備えた親機と、
を有するナースコールシステム。
【請求項２】
発呼者からの呼出しを示す呼出し音を出力する放音部と、前記放音部から出力される呼出し音の音量を調整する音量調整部と、前記発呼者からの呼出しに応じて前記放音部から前記呼出し音を出力させると共に、子機に搭載された呼出しスイッチによる呼出し操作の時間が所定時間以上であると判断した場合に、前記放音部から出力される呼出し音の音量を前記音量調整部により増大させる親機用制御部とを備えた親機。
【請求項３】
発呼者による操作により呼出し信号を出力する呼出しスイッチと、前記呼出し信号を入力して送信する送信部と、前記呼出しスイッチが操作される度に前記呼出し信号を送信する子機用制御部とを備えた子機と、
前記子機から送信された前記呼出し信号を受信する受信部と、前記発呼者からの呼出しを示す呼出し音を出力する放音部と、前記放音部から出力される呼出し音の音量を調整する音量調整部と、前記受信部が前記呼出し信号を受信した場合に、前記放音部から前記呼出し音を出力させると共に、前記受信部が前記呼出し信号を受信する度に、前記放音部から出力される呼出し音の音量を前記音量調整部により増大させる親機用制御部とを備えた親機と、
を有するナースコールシステム。
【請求項４】
発呼者からの呼出しを示す呼出し音を出力する放音部と、前記放音部から出力される呼出し音の音量を調整する音量調整部と、前記発呼者からの呼出しに応じて前記放音部から前記呼出し音を出力させると共に、子機に搭載された呼出しスイッチが操作される度に前記放音部から出力される呼出し音の音量を前記音量調整部により増大させる親機用制御部とを備えた親機。
【発明の詳細な説明】
【技術分野】
【０００１】
本発明は、病院や介護施設などで患者や被介護者からの要求に応じて看護師や介護者を呼び出すナースコールシステムに関する。
【背景技術】
【０００２】
従来、ナースコールシステムでは、患者や被介護者の近辺（例えば、ベッドの近辺など）に設置されたナースコール子機及び看護師や介護者の居る部屋などに設置されたナースコール親機を有線や無線などにより接続している。そして、患者や被介護者がナースコール子機を操作することにより、ナースコール親機が呼出し音やメロディ音を出力するようにしている。看護師や介護者は、ナースコール親機が発する呼出し音やメロディ音を聴いて、ナースコール親機に設けられた受話器により患者や被介護者と通話する。
【０００３】
しかしながら、従来の技術では、看護師や介護者は、患者や被介護者と通話するまで、患者の要求が緊急を要するものであるか、緊急を要さないものであるかを判断することができないという問題点があった。
【０００４】
なお、ナースコール子機の呼出しボタンが連続して所定時間以上押下された場合に、患者や被介護者の用件をトイレとする技術が知られている（例えば、特許文献１など）。
【特許文献１】特開平１１−４７１９９号公報
【０００５】
しかしながら、この特許文献１に記載の技術では、患者や被介護者の用件がトイレか否かを判断することはできるが、その用件（例えば、トイレであったとしても）が緊急を要するものであるか、緊急を要さないものであるかを判断することができないという問題点があった。
【発明の開示】
【発明が解決しようとする課題】
【０００６】
本発明は、このような問題を解決するために成されたものであり、患者や被介護者がナースコール子機によって用件を伝達する場合に、その用件が緊急を要する用件であるか、緊急を要さない用件であるかを容易に報知することができるようにすることを目的とする。
【課題を解決するための手段】
【０００７】
上述した課題を解決するために、本発明では、ナースコール子機による呼出し操作の時間が所定時間以上となった場合に、ナースコール親機が出力する呼出し音の音量を増大するようにしている。また、本発明の他の態様によれば、ナースコール子機により呼出し操作が行われる度に、ナースコール親機が出力する呼出し音の音量を増大するようにしている。
【発明の効果】
【０００８】
上記のように構成した本発明によれば、所定時間以上の呼出し操作がナースコール子機により行われることで、ナースコール親機から出力される呼出し音の音量が増大されるので、患者や被介護者は、緊急を要する用件であるか、緊急を要さない用件であるかを区別して容易に報知することができる。従って、看護師や介護者は、ナースコール親機が発する呼出し音の音量により、患者や被介護者の用件が緊急を要するものであるか、緊急を要さないものであるかを容易に判断することができる。
【０００９】
また、本発明の他の態様によれば、ナースコール子機による呼出し操作が行われる度に、ナースコール親機から出力される呼出し音の音量が増大されるので、患者や被介護者は、緊急を要する用件であるか、緊急を要さない用件であるかを区別して容易に報知することができる。従って、看護師や介護者は、ナースコール親機が発する呼出し音の音量により、患者や被介護者の用件が緊急を要するものであるか、緊急を要さないものであるかを容易に判断することができる。
【発明を実施するための最良の形態】
【００１０】
以下、本発明の一実施形態を図面に基づいて説明する。図１は、本実施形態によるナースコールシステムの構成例を示すブロック図である。図１に示すように、本実施形態によるナースコールシステムは、子機１及び親機１０を備えて構成されている。また、子機１は、呼出しスイッチ２、計時部３、子機用制御部４、子機用通信インターフェース５（特許請求の範囲の送信部に該当する）、子機用マイク６、子機用スピーカ７を備えて構成されている。また、親機１０は、親機用通信インターフェース１１（特許請求の範囲の受信部に該当する）、親機用マイク１２、音量調整部１３、親機用スピーカ１４（特許請求の範囲の放音部に該当する）、表示部１５、親機用制御部１６を備えて構成されている。
【００１１】
図１において、子機１は、患者や被介護者が在室する室内などのベッドなどに取り付けられており、伝送線を介してナースセンターなどに設置されている親機１０に接続されている。ここで、複数の子機１は、一つの親機１０に対して識別可能に接続されている。なお、子機１と親機１０との間に廊下灯が接続されていても良い。
【００１２】
呼出しスイッチ２は、患者や被介護者による操作により呼出し信号を出力する。ここで、呼出しスイッチ２は、患者や被介護者により操作される図示しないボタンとボタンの操作により呼出し信号を生成する図示しない呼出し信号生成部により構成されている。患者や被介護者は、看護師や介護者を呼び出したい場合に、呼出しスイッチ２のボタンを押下する。また、患者や被介護者は、緊急の要件の場合には、呼出しスイッチ２のボタンを長押しする。計時部３は、呼出しスイッチ２が操作されている時間、換言すると、呼出し信号を出力されている時間を計測する。
【００１３】
子機用制御部４は、子機１の各構成要素を制御すると共に、呼出し信号を入力し、計時部３により計測された時間を示す時間情報を入力する。子機用制御部４は、計時部３より時間情報を入力し、その時間が所定時間（例えば２秒以上など）であるか否かを判定する。そして、所定時間以上であると子機用制御部４が判断した場合には、子機用制御部４は、緊急信号を呼出し信号と共に出力する。また、計時部３により計測された時間が所定時間未満であると子機用制御部４が判断した場合には、子機用制御部４は、呼出し信号のみを出力する。
【００１４】
子機用通信インターフェース５は、子機用制御部４から入力した緊急信号や呼出し信号を親機１０に送信する。子機用マイク６は、患者や被介護者が発する音声を入力し、子機用通信インターフェース５を介して親機１０に送信する。子機用スピーカ７は、親機１０より送信された音声信号を子機用通信インターフェース５を介して入力し、外部に出力する。
【００１５】
親機用通信インターフェース１１は、子機１から送信された緊急信号や呼出し信号、音声信号を受信する。親機用マイク１２は、看護師や介護者が発する音声を入力し、親機用通信インターフェース１１を介して子機１に送信する。音量調整部１３は、看護師や介護者による音量の調整操作に応じて親機用スピーカ１４から出力される呼出し音や音声の音量を調整する。また、音量調整部１３は、親機用制御部１６からの制御信号により音量の調整を行う。親機用スピーカ１４は、親機用制御部１６にて生成された呼出し音や子機１から送信された音声を音量調整部１３により調整された音量にて出力する。表示部１５は、子機１を使用した患者や被介護者の氏名などを表示する。ここで、患者や被介護者の氏名は、子機１を識別することにより特定される。
【００１６】
親機用制御部１６は、親機用通信インターフェース１１から緊急信号や呼出し信号、音声信号を入力する。また、親機用制御部１６は、呼出し信号を入力した場合に、呼出し音声を生成して音量調整部１３に出力する。また、親機用制御部１６は、緊急信号を入力した場合に、音量調整部１３にて呼出し音の音量を増大させる音量増大信号を生成して音量調整部１３に出力する。音量調整部１３では、親機用制御部１６から入力した呼出し音の音量を調整して親機用スピーカ１４に出力する。ここで、音量調整部１３は、親機用制御部１６から入力した音量増大信号により呼出し音の音量を増大させる。
【００１７】
親機１０において、図示しない応答ボタンなどにより、看護師や介護者が応答すると、呼出し音の出力が終了する。そして、親機用マイク１２に入力された音声信号は、親機用通信インターフェース１１を介して子機１に送信される。子機１では、子機用通信インターフェース５にて受信した音声信号を子機用スピーカ７より出力する。一方、子機用マイク６に入力された音声信号は、子機用通信インターフェース５を介して親機１０に送信される。親機１０では、親機用通信インターフェース１１にて受信した音声信号を親機用スピーカ１５より出力する。これにより、患者や被介護者と看護師や介護者との間で音声によるやり取りが可能となる。
【００１８】
次に、本実施形態によるナースコールシステムの動作及び呼出し方法を説明する。図２は、本実施形態によるナースコールシステムの動作及び呼出し方法を示すフローチャートである。まず、子機１にて、呼出しスイッチ２が操作されたか否か（呼出し信号が出力されているか否か）を子機用制御部４にて調べる（ステップＳ１）。一方、親機１０にて、子機１から呼出し信号を受信したか否かを親機用制御部１６にて調べる（ステップＳ２）。
【００１９】
子機１にて、呼出しスイッチ２が操作されないと子機用制御部４にて判断した場合には（ステップＳ１にてＮＯ）、ステップＳ１の処理を繰り返す。一方、子機１にて、呼出しスイッチ２が操作されたと子機用制御部４にて判断した場合には（ステップＳ１にてＹＥＳ）、子機用制御部４は、子機用通信インターフェース５を介して、呼出し信号を親機１０に送信する（ステップＳ３）。
【００２０】
親機１０にて、子機１から呼出し信号を受信しないと親機用制御部１６にて判断した場合には（ステップＳ２にてＮＯ）、ステップＳ２を繰り返す。一方、親機１０にて、子機１から呼出し信号を受信したと親機用制御部１６にて判断した場合には（ステップＳ２にてＹＥＳ）、親機用制御部１６は、親機用制御部１１を介して、呼出し信号を受信して呼出し音を出力する（ステップＳ４）。
【００２１】
子機１にて、子機用制御部４は、計時部３により計測された呼出しスイッチ２の操作時間が所定時間以上であるか否かを調べる（ステップＳ５）。呼出しスイッチ２の操作時間が所定時間未満である場合には（ステップＳ５にてＮＯ）、ステップＳ５の処理を繰り返す。一方、呼出しスイッチ２の操作時間が所定時間以上である場合には（ステップＳ５にてＹＥＳ）、子機用制御部４は、緊急信号を生成し、子機用通信インターフェース５を介して、緊急信号を親機１０に送信する（ステップＳ６）。
【００２２】
親機１０にて、親機用制御部１６は、子機１から緊急信号を受信したか否かを調べる（ステップＳ７）。子機１から緊急信号を受信しないと親機用制御部１６にて判断した場合には（ステップＳ７にてＮＯ）、ステップＳ７の処理を繰り返す。ここで、親機１０では、呼出し音が出力されている状態である。一方、子機１から緊急信号を受信したと親機用制御部１６にて判断した場合には（ステップＳ７にてＹＥＳ）、親機用制御部１６は、音量調整部１３を制御して、親機用スピーカ１４から出力されている呼出し音の音量を増大する（ステップＳ８）。
【００２３】
子機１にて、子機用制御部４は、親機１０からの応答があったか否かを調べる（ステップＳ９）。親機１０からの応答がないと子機用制御部４にて判断した場合には（ステップＳ９にてＮＯ）、ステップＳ５の処理に戻る。一方、親機１０からの応答があったと子機用制御部４にて判断した場合には（ステップＳ９にてＹＥＳ）、子機１は、親機１０との間で通話を行う（ステップＳ１０）。
【００２４】
親機１０にて、親機用制御部１６は、子機１からの呼出しに対して応答したか否かを調べる（ステップＳ１１）。応答していないと親機用制御部１６にて判断した場合には（ステップＳ１１にてＮＯ）、ステップＳ７の処理に戻る。一方、応答したと親機用制御部１６にて判断した場合には（ステップＳ１１にてＹＥＳ）、親機１０は、子機１との間で通話を行う（ステップＳ１２）。
【００２５】
以上詳しく説明したように、本実施形態によれば、子機１による呼出しスイッチ２の操作時間が所定時間以上となった場合に、親機１０は、呼出し音の音量を増大するようにしている。これにより、患者や被介護者は、呼出しスイッチ２を所定時間以上操作することで、緊急を要する用件であるか、緊急を要さない用件であるかを区別して容易に報知することができる。従って、看護師や介護者は、親機１０が発する呼出し音の音量により、患者や被介護者の用件が緊急を要するものであるか、緊急を要さないものであるかを容易に判断することができる。
【００２６】
なお、前述した実施形態では、計時部３により呼出しスイッチ２が操作された時間を計測し、その時間が所定時間以上である場合に、親機用スピーカ１４から出力される呼出し音の音量を増大させるようにしているが、これに限定されない。例えば、計時部３をなくして、親機用制御部１６では、呼出し信号が入力する度に、音量調整部１３を制御して、呼出し音の音量を増大させるようにしても良い。具体的には、呼出しスイッチ２が操作される度に、子機用制御部４は、呼出しスイッチ２より入力した呼出し信号を子機用通信インターフェース５により親機１０に送信する。親機用制御部１６は、親機用通信インターフェース１１にて呼出し信号を受信する度に、音量増大信号を生成して音量調整部１３に出力する。このように、子機１による呼出し操作が行われる度に、親機１０から出力される呼出し音の音量が増大されるので、患者や被介護者は、呼出しスイッチ２を何度も操作することで、緊急を要する用件であるか、緊急を要さない用件であるかを区別して容易に報知することができる。従って、看護師や介護者は、親機１０が発する呼出し音の音量により、患者や被介護者の用件が緊急を要するものであるか、緊急を要さないものであるかを容易に判断することができる。
【００２７】
また、前述した実施形態では、親機１０は、子機１から緊急信号を受信した場合に呼出し音の音量を増大させているが、これに限定されない。例えば、子機１から呼出しスイッチ２が操作された時間が所定時間以上であるか否かを示す判定結果を受信し、呼出しスイッチ２が操作された時間が所定時間以上であるという判定結果である場合に、呼出し音の音量を増大させるようにしても良い。
【００２８】
その他、上記実施形態は、本発明を実施するにあたっての具体化の一例を示したものに過ぎず、これによって本発明の技術的範囲が限定的に解釈されてはならないものである。すなわち、本発明はその精神、またはその主要な特徴から逸脱することなく、様々な形で実施することができる。
【産業上の利用可能性】
【００２９】
本発明は、病院や介護施設などで患者や被介護者からの要求に応じて看護師や介護者を呼び出すナースコールシステムに有用である。
【図面の簡単な説明】
【００３０】
【図１】本実施形態によるナースコールシステムの構成例を示すブロック図である。
【図２】本実施形態によるナースコールシステムの動作及び呼出し方法を示すフローチャートである。
【符号の説明】
【００３１】
１    子機
２    呼出しスイッチ
３    計時部
４    子機用制御部
５    子機用通信インターフェース
６    子機用マイク
７    子機用スピーカ
１０    親機
１１    親機用通信インターフェース
１２    親機用マイク
１３    音量調整部
１４    親機用スピーカ
１５    表示部
１６    親機用制御部
【図１】
2007061227.tif 000003
【図２】
2007061227.tif 000004